(57)【要約】  【課題】可動接点と固定接点との接触信頼性を向上可能なマイクロリレーを提供する。  【解決手段】電磁石装置２を収納する収納部が形成され且つ厚み方向の一表面側に固定接点１４が設けられたベース基板１と、ベース基板１の一表面側に固着されるフレーム部３１およびフレーム部３１の内側に配置されて支持ばね部３２を介してフレーム部３１に揺動自在に支持され電磁石装置２により駆動されるアーマチュア３０およびアーマチュア３０に接圧ばね部３５を介して支持された可動接点基台部３４を有するアーマチュアブロック３と、アーマチュアブロック３におけるベース基板１とは反対側で周部がフレーム部３１に固着されたカバー４とを備える。可動接点基台部３４には一対の固定接点１４に接離する可動接点３９が設けられ、可動接点３９における固定接点１４との対向面を固定接点１４側へ突出する凸曲面に形成してある。【選択図】      図１
2005216546.tif 000002
【特許請求の範囲】
【請求項１】
電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、固定接点と可動接点との互いの対向面の少なくとも一方が他方側へ突出する凸曲面に形成されてなることを特徴とするマイクロリレー。
【請求項２】
電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、可動接点は、互いに電気的に接続されそれぞれ固定接点と弾接可能な一対の可動接点片を有することを特徴とするマイクロリレー。
【請求項３】
前記固定接点を２つ１組として少なくとも１組備え、前記可動接点は、組となる前記固定接点間を短絡する位置と開放する位置との間で変位可能であり、前記一対の前記可動接点片を前記各固定接点ごとに有することを特徴とする請求項２記載のマイクロリレー。
【請求項４】
電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、アーマチュアブロックは、平行配置される一対の直線状の固定接点に対して当該一対の固定接点に跨って配置される可動接点を複数備え、固定接点の長手方向の両側の可動接点がアーマチュアに接圧ばねを介して支持された可動接点基台部の両端部に設けられ、可動接点基台部は、前記長手方向において隣り合う可動接点の間の部位が他の部位に比べて細幅に形成されてなることを特徴とするマイクロリレー。
【請求項５】
電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、アーマチュアブロックは、固定接点に対して可動接点を２つ有しており、各可動接点は、それぞれ異なる接圧ばねを介して前記アーマチュアに支持された可動接点基台部に設けられてなることを特徴とするマイクロリレー。
【請求項６】
電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、可動接点は、２つの固定接点に跨って配置される可動接点基台部に設けられ、両固定接点間を短絡するように両固定接点に接触する位置と両固定接点間を開放するように両固定接点から離れた位置との間で変位可能であり、可動接点基台部は、両固定接点の並設方向における中央部がアーマチュアに１本の接圧ばねを介して支持されてなることを特徴とするマイクロリレー。
【請求項７】
前記アーマチュアは、前記フレーム部の内側に配置され前記支持ばね部を介して前記フレーム部に支持された薄板状の可動基台部と、可動基台部において前記電磁石装置側に固着された磁性体材料からなる薄板状の磁性体部とで構成され、前記接圧ばねは、一端部が可動基台部において前記可動接点基台部との対向面に形成された切欠部の内周面に連続一体に連結されるとともに他端部が前記可動接点基台部における可動基台部との対向面に連続一体に連結され、磁性体部の外周に当接する部分を他の部位に比べて幅広の幅広部としてあることを特徴とする請求項６記載のマイクロリレー。
【請求項８】
前記可動接点は、互いに電気的に接続されそれぞれ前記固定接点と接離可能な一対の可動接点片を有することを特徴とする請求項６または請求項７記載のマイクロリレー。
【請求項９】
前記可動接点は、前記各固定接点ごとに、互いに電気的に接続されそれぞれ前記固定接点と弾接可能な一対の可動接点片を有することを特徴とする請求項６ないし請求項８のいずれかに記載のマイクロリレー。
【請求項１０】
前記固定接点と前記可動接点との互いの対向面の少なくとも一方が他方側へ突出する凸曲面に形成されてなることを特徴とする請求項２ないし請求項９のいずれかに記載のマイクロリレー。
【請求項１１】
前記可動接点は、互いに電気的に接続されそれぞれ前記固定接点と弾接可能な一対の可動接点片を有し、接圧ばねを介して前記アーマチュアに支持された可動接点基台部に設けられてなることを特徴とする請求項１ないし請求項１０のいずれかに記載のマイクロリレー。
【請求項１２】
前記凸曲面は前記固定接点に形成され、前記固定接点は、前記ベース基板の厚み方向に貫設したスルーホールを前記一表面側で閉塞する金属ボールからなり、当該金属ボールにおいて前記ベース基板の前記一表面側へ露出した部分の表面が前記凸曲面を構成していることを特徴とする請求項１または請求項１０記載のマイクロリレー。
【請求項１３】
前記凸曲面は前記固定接点に形成され、前記固定接点は、前記ベース基板の厚み方向に貫設したスルーホールを前記一表面側で閉塞する金属ボールにおいて前記ベース基板の前記一表面側へ露出した部分を所望の形状にフォーミングすることにより前記凸曲面が形成されてなることを特徴とする請求項１または請求項１０記載のマイクロリレー。
【発明の詳細な説明】
【技術分野】
【０００１】
本発明は、マイクロリレーに関するものである。
【背景技術】
【０００２】
従来から、静電駆動型のマイクロリレーに比べて駆動力を大きくできるマイクロリレーとして、電磁石装置の電磁力を利用してアーマチュアを駆動し接点を開閉するようにしたマイクロリレーが知られている（例えば、特許文献１参照）。
【０００３】
ここにおいて、上記特許文献１に開示されたマイクロリレーは、厚み方向の一表面側において長手方向の両端部に各一対の固定接点が設けられ且つ２つの電磁石装置が挿入される２つの挿入孔が長手方向に離間して形成された矩形板状のセラミック基板からなるベース基板と、矩形枠状のフレーム部およびフレーム部の内側に配置されて一対の枢支部を介してフレーム部に揺動自在に支持され各電磁石装置に対向する部位それぞれに磁性体部あるいは永久磁石が設けられた矩形板状のアーマチュアおよびアーマチュアの両端部に固着された可動接点を有するアーマチュアブロックと、ベース基板の周部とアーマチュアブロックのフレーム部との間に介在する矩形枠状のスペーサとを備えている。なお、各可動接点はそれぞれ一対の固定接点間を開放する位置と短絡する位置との間で変位可能となっている。
【特許文献１】特開平５−１１４３４７号公報
【発明の開示】
【発明が解決しようとする課題】
【０００４】
ところで、上記特許文献１に開示されたマイクロリレーでは、可動接点が一対の枢支部を介してフレーム部に揺動自在に支持された矩形板状のアーマチュアの両端部に固着され、しかも、可動接点と固定接点との互いの対向面が平面状に形成されているので、可動接点と固定接点との接触が不十分となることがあり、接触信頼性の向上が望まれる。なお、上記特許文献１に開示されたマイクロリレーでは、アーマチュアおよび固定接点および可動接点が外気に曝される構造となっており、製造時、製造後に関わらず可動接点と固定接点との間に異物などが侵入して可動接点が固定接点に接触できなくなる可能性もあった。
【０００５】
本発明は上記事由に鑑みて為されたものであり、その目的は、可動接点と固定接点との接触信頼性を向上可能なマイクロリレーを提供することにある。
【課題を解決するための手段】
【０００６】
請求項１の発明は、電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、固定接点と可動接点との互いの対向面の少なくとも一方が他方側へ突出する凸曲面に形成されてなることを特徴とする。
【０００７】
この発明によれば、アーマチュアブロックにおけるベース基板とは反対側で周部がフレーム部に固着されたカバーを備えていることにより、アーマチュアおよび固定接点および可動接点が密閉空間内に配置されているので、可動接点と固定接点との間に異物が侵入するのを防止できて可動接点と固定接点との接触信頼性を向上でき、しかも、固定接点と可動接点との互いの対向面の一方が他方側へ突出する凸曲面に形成されているので、可動接点と固定接点との接触信頼性をより向上させることができる。
【０００８】
請求項２の発明は、電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、可動接点は、互いに電気的に接続されそれぞれ固定接点と弾接可能な一対の可動接点片を有することを特徴とする。
【０００９】
この発明によれば、固定接点における可動接点との対向面において、一対の可動接点片のうちの一方の可動接点片が接離する部位に異物が付着したとしても、他方の可動接点片が固定接点に接離可能なので、可動接点と固定接点との接触不良が起こる可能性を低減でき、接触信頼性をさらに向上させることができる。
【００１０】
請求項３の発明は、請求項２の発明において、前記固定接点を２つ１組として少なくとも１組備え、前記可動接点は、組となる前記固定接点間を短絡する位置と開放する位置との間で変位可能であり、前記一対の前記可動接点片を前記各固定接点ごとに有することを特徴とする。
【００１１】
この発明によれば、前記可動接点が組となる前記固定接点間を短絡する位置と開放する位置との間で変位可能となり、また、前記可動接点と前記両固定接点との接触不良が起こる可能性を低減できる。
【００１２】
請求項４の発明は、電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、アーマチュアブロックは、平行配置される一対の直線状の固定接点に対して当該一対の固定接点に跨って配置される可動接点を複数備え、固定接点の長手方向の両側の可動接点がアーマチュアに接圧ばねを介して支持された可動接点基台部の両端部に設けられ、可動接点基台部は、前記長手方向において隣り合う可動接点の間の部位が他の部位に比べて細幅に形成されてなることを特徴とする。
【００１３】
この発明によれば、可動接点が接圧ばねを介してアーマチュアに支持された可動接点基台部に設けられていることにより、接圧ばねのばね力を適宜設定することによって所望の接点圧を得ることができて接触信頼性をさらに向上させることができ、しかも、一対の固定接点に跨って配置される可動接点を複数備えており、可動接点基台部は、前記長手方向において隣り合う可動接点の間の部位が他の部位に比べて細幅に形成されているので、通電経路における可動接点の幅が小さくなるのを防止でき、可動接点の抵抗値を低減できる。
【００１４】
請求項５の発明は、電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、アーマチュアブロックは、固定接点に対して可動接点を２つ有しており、各可動接点は、それぞれ異なる接圧ばねを介して前記アーマチュアに支持された可動接点基台部に設けられてなることを特徴とする。
【００１５】
この発明によれば、それぞれ異なる接圧ばねを介してアーマチュアに支持された２つの可動接点基台部それぞれに可動接点が設けられており、各可動接点のうちの少なくとも一方が固定接点に接触すればよいから、接触信頼性をさらに向上させることができる。
【００１６】
請求項６の発明は、電磁石装置を収納する収納部が形成され且つ厚み方向の一表面側に固定接点が設けられたベース基板と、ベース基板の前記一表面側に固着される枠状のフレーム部およびフレーム部の内側に配置されて支持ばね部を介してフレーム部に揺動自在に支持され電磁石装置により駆動されるアーマチュアおよび固定接点に接離する可動接点を有するアーマチュアブロックと、アーマチュアブロックにおけるベース基板とは反対側で周部がフレーム部に固着されたカバーとを備え、可動接点は、２つの固定接点に跨って配置される可動接点基台部に設けられ、両固定接点間を短絡するように両固定接点に接触する位置と両固定接点間を開放するように両固定接点から離れた位置との間で変位可能であり、可動接点基台部は、両固定接点の並設方向における中央部がアーマチュアに１本の接圧ばねを介して支持されてなることを特徴とする。
【００１７】
この発明によれば、アーマチュアと可動接点基台部とを結ぶ方向に直交する面内で可動接点基台部が回動自在となるので、可動接点が両固定接点の一方のみに当たるのを防止することができ、接触信頼性を向上させることができる。
【００１８】
請求項７の発明は、請求項５の発明において、前記アーマチュアは、前記フレーム部の内側に配置され前記支持ばね部を介して前記フレーム部に支持された薄板状の可動基台部と、可動基台部において前記電磁石装置側に固着された磁性体材料からなる薄板状の磁性体部とで構成され、前記接圧ばねは、一端部が可動基台部において前記可動接点基台部との対向面に形成された切欠部の内周面に連続一体に連結されるとともに他端部が前記可動接点基台部における可動基台部との対向面に連続一体に連結され、磁性体部の外周に当接する部分を他の部位に比べて幅広の幅広部としてあることを特徴とする。
【００１９】
この発明によれば、前記接圧ばねは、一端部が可動基台部において前記可動接点基台部との対向面に形成された切欠部の内周面に連続一体に連結されるとともに他端部が前記可動接点基台部における可動基台部との対向面に連続一体に連結されていることにより、可動基台部と前記可動接点基台部との間の距離を比較的小さくしながらも所望の接点圧を得ることが可能となるので、リレー全体の小型化を図れ、しかも、前記接圧ばねは、磁性体部の外周に当接する部分を他の部位に比べて幅広の幅広部としてあるので、前記接圧ばねと磁性体部とが当たる際に前記接圧ばねが破損するのを防止することができる。
【００２０】
請求項８の発明は、請求項６または請求項７の発明において、前記可動接点は、互いに電気的に接続されそれぞれ前記固定接点と接離可能な一対の可動接点片を有することを特徴とする。
【００２１】
この発明によれば、前記固定接点における前記可動接点との対向面において、一対の可動接点片のうちの一方の可動接点片が接離する部位に異物が付着したとしても、他方の可動接点片が前記固定接点に接離可能なので、前記可動接点と前記固定接点との接触不良が起こる可能性を低減でき、接触信頼性をさらに向上させることができる。
【００２２】
請求項９の発明は、請求項６ないし請求項８の発明において、前記可動接点は、前記各固定接点ごとに、互いに電気的に接続されそれぞれ前記固定接点と弾接可能な一対の可動接点片を有することを特徴とする。
【００２３】
この発明によれば、前記固定接点における前記可動接点との対向面において、一対の可動接点片のうちの一方の可動接点片が接離する部位に異物が付着したとしても、他方の可動接点片が前記固定接点に接離可能なので、前記可動接点と前記固定接点との接触不良が起こる可能性を低減でき、接触信頼性をさらに向上させることができる。
【００２４】
請求項１０の発明は、請求項２ないし請求項９の発明において、前記固定接点と前記可動接点との互いの対向面の少なくとも一方が他方側へ突出する凸曲面に形成されてなることを特徴とする。
【００２５】
この発明によれば、固定接点と可動接点との互いの対向面の一方が他方側へ突出する凸曲面に形成されているので、可動接点と固定接点との接触信頼性をより向上させることができる。
【００２６】
請求項１１の発明は、請求項１ないし請求項１０の発明において、前記可動接点は、互いに電気的に接続されそれぞれ前記固定接点と弾接可能な一対の可動接点片を有し、接圧ばねを介して前記アーマチュアに支持された可動接点基台部に設けられてなることを特徴とする。
【００２７】
この発明によれば、前記固定接点における前記可動接点との対向面において、一対の可動接点片のうちの一方の可動接点片が接離する部位に異物が付着したとしても、他方の可動接点片が前記固定接点に接離可能なので、前記可動接点と前記固定接点との接触不良が起こる可能性を低減でき、しかも、前記可動接点が接圧ばねを介して前記アーマチュアに支持された可動接点基台部に設けられていることにより、接圧ばねのばね力を適宜設定することによって所望の接点圧を得ることができて接触信頼性をさらに向上させることができるとともに、前記アーマチュアと前記可動接点との間のばね負荷（つまり、前記可動接点に作用するばね負荷）を小さくできる。
【００２８】
請求項１２の発明は、請求項１または請求項１０の発明において、前記凸曲面は前記固定接点に形成され、前記固定接点は、前記ベース基板の厚み方向に貫設したスルーホールを前記一表面側で閉塞する金属ボールからなり、当該金属ボールにおいて前記ベース基板の前記一表面側へ露出した部分の表面が前記凸曲面を構成していることを特徴とする。
【００２９】
この発明によれば、前記固定接点によりスルーホールの開口面を閉塞することができるから、スルーホールを通した配線を可能としながらもスルーホールを通して外部から粉塵などが侵入するのを防止できる。
【００３０】
請求項１３の発明は、請求項１または請求項１０の発明において、前記凸曲面は前記固定接点に形成され、前記固定接点は、前記ベース基板の厚み方向に貫設したスルーホールを前記一表面側で閉塞する金属ボールにおいて前記ベース基板の前記一表面側へ露出した部分を所望の形状にフォーミングすることにより前記凸曲面が形成されてなることを特徴とする。
【００３１】
この発明によれば、前記固定接点によりスルーホールの開口面を閉塞することができるから、スルーホールを通した配線を可能としながらもスルーホールを通して外部から粉塵などが侵入するのを防止でき、しかも、金属ボールにおいて前記ベース基板の前記一表面側へ露出した部分を所望の形状にフォーミングすることにより前記凸曲面が形成されているので、フォーミングを行わない場合に比べて接触信頼性を向上させることが可能となる。
【発明の効果】
【００３２】
請求項１の発明では、アーマチュアおよび固定接点および可動接点が密閉空間内に配置されているので、可動接点と固定接点との間に異物が侵入するのを防止できて可動接点と固定接点との接触信頼性を向上でき、しかも、固定接点と可動接点との互いの対向面の一方が他方側へ突出する凸曲面に形成されているので、可動接点と固定接点との接触信頼性をより向上させることができるという効果がある。
【００３３】
請求項２の発明では、固定接点における可動接点との対向面において、一対の可動接点片のうちの一方の可動接点片が接離する部位に異物が付着したとしても、他方の可動接点片が固定接点に接離可能なので、可動接点と固定接点との接触不良が起こる可能性を低減でき、接触信頼性をさらに向上させることができるという効果がある。
【００３４】
請求項４の発明では、可動接点が接圧ばねを介してアーマチュアに支持された可動接点基台部に設けられていることにより、接圧ばねのばね力を適宜設定することによって所望の接点圧を得ることができて接触信頼性をさらに向上させることができ、しかも、一対の固定接点に跨って配置される可動接点を複数備えており、可動接点基台部は、前記長手方向において隣り合う可動接点の間の部位が他の部位に比べて細幅に形成されているので、通電経路における可動接点の幅が小さくなるのを防止でき、可動接点の抵抗値を低減できるという効果がある。
【００３５】
請求項５の発明では、それぞれ異なる接圧ばねを介してアーマチュアに支持された２つの可動接点基台部それぞれに可動接点が設けられており、各可動接点のうちの少なくとも一方が固定接点に接触すればよいから、接触信頼性をさらに向上させることができるという効果がある。
【００３６】
請求項６の発明では、アーマチュアと可動接点基台部とを結ぶ方向に直交する面内で可動接点基台部が回動自在となるので、可動接点が両固定接点の一方のみに当たるのを防止することができ、接触信頼性を向上させることができるという効果がある。
【発明を実施するための最良の形態】
【００３７】
（実施形態１）
以下、本実施形態のマイクロリレーについて図１〜図６を参照しながら説明する。
【００３８】
本実施形態のマイクロリレーは、ヨーク２０に巻回されたコイル２２，２２への励磁電流に応じて磁束を発生する電磁石装置２と、矩形板状のガラス基板からなり厚み方向の一面側において長手方向の両端部それぞれに各一対の固定接点１４が設けられたベース基板１と、ベース基板１の上記一表面側に固着される枠状（矩形枠状）のフレーム部３１およびフレーム部３１の内側に配置されて４本の支持ばね部３２を介してフレーム部３１に揺動自在に支持され電磁石装置２により駆動されるアーマチュア３０およびアーマチュア３０にそれぞれ２本の接圧ばね部３５を介して支持されそれぞれ可動接点３９が設けられた２つの可動接点基台部３４を有するアーマチュアブロック３と、アーマチュアブロック３におけるベース基板１とは反対側で周部がフレーム部３１に固着された矩形板状のガラス基板からなるカバー４とを備えている。
【００３９】
電磁石装置２におけるヨーク２０は、２つのコイル２２，２２が直接巻回される細長の矩形板状のコイル巻回部２０ａと、コイル巻回部２０ａの長手方向の両端部それぞれからアーマチュア３０に近づく向きに延設されコイル２２，２２への励磁電流に応じて互いの先端面が異極に励磁される一対の脚片２０ｂ，２０ｂと、ヨーク２０の両脚片２０ｂ，２０ｂの間でコイル巻回部２０ａの長手方向の中央部に重ねて配置された矩形板状の永久磁石２１と、細長の矩形板状であってヨーク２０のコイル巻回部２０ａにおける永久磁石２１との対向面とは反対側でコイル巻回部２０ａと直交するようにコイル巻回部２０ａに固着されるプリント基板２３とを備えている。なお、ヨーク２０は、電磁軟鉄などの鉄板を曲げ加工、鋳造加工、プレス加工などにより加工することによって形成されており、両脚片２０ｂ，２０ｂの断面が矩形状に形成されている。
【００４０】
永久磁石２１は、コイル巻回部２０ａとの重ね方向（厚み方向）の両面それぞれの磁極面２１ａ，２１ｂが異極に着磁されており、一方の磁極面２１ｂがヨーク２０のコイル巻回部２０ａに当接し、他方の磁極面２１ａがヨーク２０の両脚片２０ｂ，２０ｂの先端面と同一平面上に位置するように厚み寸法を設定してある。
【００４１】
また、各コイル２２，２２はそれぞれ、永久磁石２１とヨーク２０の脚片２０ｂ，２０ｂとによって口軸方向（つまり、コイル巻回部２０ａの長手方向）への移動が規制される。プリント基板２３は、絶縁基板２３ａの一表面における長手方向の両端部に導体パターン２３ｂが形成されており、各導体パターン２３ｂにおいて円形状に形成された部位が外部接続用電極を構成し、矩形状に形成された部位がコイル接続部を構成している。ここにおいて、コイル接続部には、コイル２２，２２の端末が接続されるが、コイル２２，２２は、外部接続用電極間に電源を接続してコイル２２，２２へ励磁電流を流したときにヨーク２０の両脚片２０ｂ，２０ｂの先端面が互いに異なる磁極となるように接続されている。なお、各導体パターン２３ｂにおける外部接続用電極には、導電性材料（例えば、Ａｕ，Ａｇ，Ｃｕ，半田など）からなるバンプ２４が適宜固着されるが、バンプ２４を固着する代わりに、ボンディングワイヤをボンディングしてもよい。
【００４２】
ベース基板１は、パイレックス（Ｒ）のような耐熱ガラスにより形成されており、外周形状が矩形状であって、中央部には厚み方向に貫通し電磁石装置２を収納する収納孔１６が貫設され、四隅の各近傍には厚み方向に貫通するスルーホール１０が貫設されている。また、ベース基板１の厚み方向の両面であって各スルーホール１０それぞれの周縁にはランド１２が形成されている。ここに、ベース基板１の厚み方向において重なるランド１２同士はスルーホール１０の内周面に被着された導電性材料（例えば、Ｃｕ，Ｃｒ，Ｔｉ，Ｐｔ，Ｃｏ，Ｎｉ，Ａｕ，あるいはこれらの合金など）からなる導体層（図示せず）により電気的に接続されている。また、ベース基板１の厚み方向の他表面側の各ランド１２にはバンプ１３が適宜固着されており、バンプ１３をランド１２に固着することによって、ベース基板１の上記他表面側ではスルーホール１０の開口面がバンプ１３により覆われる。スルーホール１０の開口面は円形状であって、ベース基板１の上記一表面には、それぞれスルーホール１０の開口面およびランド１２を覆う４枚のシリコン薄膜からなる蓋体１９が固着されている。
【００４３】
また、上述の各一対の固定接点１４は、ベース基板１の長手方向の両端部においてベース基板１の短手方向に離間して形成された２つのスルーホール１０の間で上記短手方向に並設されており、上記短手方向において隣り合うスルーホール１０の周縁に形成されたランド１２と導電パターン１８を介して電気的に接続されている。ここに、固定接点１４および導電パターン１８およびランド１２の材料としては、例えば、Ｃｒ，Ｔｉ，Ｐｔ，Ｃｏ，Ｃｕ，Ｎｉ，Ａｕ，あるいはこれらの合金などの導電性材料を採用すればよく、バンプ１３の材料としては、例えば、Ａｕ，Ａｇ，Ｃｕ，半田などの導電性材料を採用すればよい。なお、上述のスルーホール１０および収納孔１６は、例えば、サンドブラスト法やエッチング法などによって形成すればよく、上述の導体層は、例えば、めっき法、蒸着法、スパッタ法などによって形成すればよい。
【００４４】
また、収納孔１６の開口面は十字状であって、ベース基板１の上記一表面側には、収納孔１６を閉塞するシリコン薄膜からなる蓋体１７が固着されている。すなわち、電磁石装置２は、ヨーク２０の両脚片２０ｂ，２０ｂの各先端面が蓋体１７と対向する形で収納孔１６に挿入される。なお、本実施形態では、収納孔１６の内周面と蓋体１７とで囲まれる空間が電磁石装置２を収納する収納部を構成しており、電磁石装置２０は、永久磁石２１がベース基板１の厚み寸法内でアーマチュア３０とヨーク２０とにより形成される磁路中に設けられ、プリント基板２３における絶縁基板２３ａの表面がベース基板１の上記他表面と略面一となっている。なお、蓋体１７，１９は、シリコン基板をエッチングや研磨などで薄膜化することにより形成したシリコン薄膜により構成されており、厚み寸法を２０μｍに設定してある。ここに、蓋体１７の厚み寸法は２０μｍに限定するものではなく、例えば、５μｍ〜５０μｍ程度の範囲内で適宜設定すればよい。また、蓋体１７，１９は、シリコン薄膜に限らず、ガラス基板をエッチングや研磨などで薄膜化することにより形成したガラス薄膜により構成してもよい。
【００４５】
収納孔１６は、ベース基板１の上記一表面から上記他表面に近づくにつれて徐々に開口面積が大きくなるテーパ形状となっており、ベース基板１の上記他表面側から電磁石装置２を挿入しやすく、且つ、ベース基板１の上記一表面における収納孔１６の開口面積を比較的小さくすることができる。
【００４６】
アーマチュアブロック３は、シリコン基板からなる半導体基板を半導体微細加工プロセスにより加工することによって、上述の矩形枠状のフレーム部３１と、上述の４本の支持ばね３２と、フレーム部３１の内側に配置されアーマチュア３０の一部を構成する矩形板状の可動基台部３０ａと、上述の４本の接圧ばね３５と、上述の２つの可動接点基台部３４とを形成してあり、可動基台部３０ａと、可動基台部３０ａにおけるベース基板１との対向面に固着された磁性体（例えば、軟鉄、電磁ステンレス、パーマロイなど）からなる矩形板状の磁性体部３０ｂとでアーマチュア３０を構成している。したがって、アーマチュア３０が４本の支持ばね部３２を介してフレーム部３１に揺動自在に支持されている。なお、可動基台部３０ａはフレーム部３１よりも薄肉であり、アーマチュア３０の厚み寸法は、アーマチュアブロック３とベース基板１とを固着した状態においてアーマチュア３０の磁性体部３０ｂと蓋体１７との間に所定のギャップが形成されるように設定されている。
【００４７】
上述の支持ばね部３２は、可動基台部３０ａの短手方向の両側面側で可動基台部３０ａの長手方向に離間して２箇所に形成されている。各支持ばね部３２は、一端部がフレーム部３１に連続一体に連結され他端部が可動基台部３０ａに連続一体に連結されている。なお、各支持ばね部３２は、平面形状において上記一端部と上記他端部との間の部位を同一面内で蛇行した形状に形成することにより長さ寸法を長くしてあり、アーマチュア３０が揺動する際に各支持ばね部３２にかかる応力を分散させることができ、各支持ばね部３２が破損するのを防止することができる。
【００４８】
また、可動基台部３０ａは、短手方向の両側縁の中央部から矩形状の突片３６が連続一体に延設され、フレーム部３１の内周面において突片３６に対応する部位からも矩形状の突片３７が連続一体に延設されている。すなわち、可動基台部３０ａから延設された突片３６とフレーム部３１から延設された突片３７とは互いの先端面同士が対向している。ここに、可動基台部３０ａから延設された各突片３６の先端面には凸部３６ａが形成されており、フレーム部３１から延設された各突片３７の先端面には、凸部３６ａが入り込む凹部３７ａが形成されている。したがって、凸部３６ａが凹部３７ａの内周面に当接することでフレーム部３１の厚み方向に直交する面内におけるアーマチュア３０の移動が規制される。なお、アーマチュア３０の同一の側縁側に配設される２つの支持ばね部３２は、突片３６の両側に位置している。
【００４９】
また、アーマチュアブロック３は、アーマチュア３０の長手方向においてアーマチュア３０の両端部とフレーム部３１との間にそれぞれ可動接点基台部３４が配置されており、各可動接点基台部３４におけるベース基板１との対向面に導電性材料からなる可動接点３９が固着されている。ここに、可動接点基台部３４は上述の２本の接圧ばね部３５を介して可動基台部３０ａに支持されている。なお、可動基台部３０ａは上述のように矩形板状に形成されており、磁性体部３０ｂの変位量を制限するストッパ部３３が四隅それぞれから連続一体に延設されており、接圧ばね部３５の平面形状は、ストッパ部３３の外周縁の３辺に沿ったコ字状に形成されている。このストッパ部３３は、ベース基板１の上記一表面と接触することにより磁性体部３０ｂの変位量を制限する。
【００５０】
なお、アーマチュアブロック３は、上述の説明から分かるように、フレーム部３１、可動基台部３０ａ、支持ばね部３２、可動接点保持部３４、接圧ばね部３５が上述の半導体基板の一部により構成されている。半導体基板としては、例えば厚み寸法が２００μｍ程度のシリコン基板を用いればよいが、当該厚み寸法は特に限定するものではなく、例えば、５０μｍ〜３００μｍ程度の範囲で適宜設定すればよい。
【００５１】
また、可動接点基台部３４の厚み寸法と可動接点３９の厚み寸法との合計寸法についても、接点開成状態において可動接点３９と固定接点１４との間の距離が所定距離となるように設定されている。
【００５２】
カバー４は、パイレックス（Ｒ）のような耐熱ガラスにより構成されており、アーマチュアブロック３との対向面にアーマチュア３０の揺動空間を確保する凹所４ａが形成されている。
【００５３】
ところで、上述のアーマチュアブロック３のフレーム部３１におけるベース基板１との対向面の周部には全周に亙って接合用金属薄膜３８ｂが形成され、カバー４との対向面の周部には全周に亙って接合用金属薄膜３８ａが形成されている。また、ベース基板１におけるアーマチュアブロック３との対向面の周部にも全周に亙って接合用金属薄膜１５が形成され、カバー４におけるアーマチュアブロック３との対向面の周部にも全周に亙って接合用金属薄膜４２が形成されている。したがって、アーマチュアブロック３とベース基板１およびカバー４とを圧接または陽極接合により気密的に接合することができ、ベース基板１とカバー４とフレーム部３１とで囲まれる空間の気密性を向上できる。
【００５４】
その結果、本実施形態のマイクロリレーは、ベース基板１と、カバー４と、ベース基板１とカバー４との間に介在するフレーム部３１とで囲まれる気密空間（密閉空間）内に、アーマチュア３０、可動接点３３、固定接点１４が収納される。なお、上述の接合用金属薄膜１５，３８ａ，３８ｂ，４２の材料としては、例えば、Ａｕ，Ａｌ−Ｓｉなどを採用すればよい。
【００５５】
以上説明した本実施形態のマイクロリレーをプリント基板のような実装基板に実装する際には、例えばベース基板１の上記他表面側において露出した２個のバンプ２４および４個のバンプ１３それぞれを上記実装基板の一表面側に形成された導体パターンに接続すればよい。
【００５６】
次に、本実施形態のマイクロリレーの動作について説明する。
【００５７】
本実施形態のマイクロリレーでは、コイル２２，２２への通電が行われると、磁化の向きに応じて磁性体部３０ｂの長手方向の一端部がヨーク２０の一方の脚片２０ｂに吸引されてアーマチュア３０が揺動しアーマチュア３０の一端側の可動接点基台部３４に固着された可動接点３９が対向する一対の固定接点１４，１４に所定の接点圧で接触する（つまり、一対の固定接点１４，１４間が可動接点３９を介して短絡される）。この状態で通電を停止しても、永久磁石２１の発生する磁束により、吸引力が維持され、そのままの状態が保持される。
【００５８】
また、コイル２２，２２への通電方向を逆向きにすると、アーマチュア３０の磁性体部３０ｂがヨーク２０の他方の脚片２０ｂに吸引されてアーマチュア３０が揺動しアーマチュア３０の他端側の可動接点基台部３４に保持された可動接点３９が対向する一対の固定接点１４，１４に所定の接点圧で接触する。この状態で通電を停止しても、永久磁石２１の発生する磁束により、吸引力が維持され、そのままの状態が保持される。
【００５９】
なお、本実施形態のマイクロリレーは、永久磁石２１による磁性体部３０ｂの吸引力が支持ばね３２による復帰力よりも強くなるように支持ばね３２のばね定数を設定してあるが、永久磁石２１による磁性体部３０ｂの吸引力が支持ばね３２による復帰力よりも弱くなるように支持ばね３２のばね定数を設定してもよい。
【００６０】
以上説明した本実施形態のマイクロリレーによれば、アーマチュアブロック３におけるベース基板１とは反対側で周部がフレーム部３１に固着されたカバー４を備えていることにより、アーマチュア３および固定接点１４および可動接点３９が密閉空間内に配置されるので、可動接点３９と固定接点１４との間に異物が侵入するのを防止できて可動接点３９と固定接点１４との接触信頼性を向上させることができる。また、リレー全体の厚み寸法をベース基板１の厚み寸法とアーマチュアブロック３のフレーム部３１の厚み寸法とカバー４の厚み寸法との合計寸法によって規定することができ、ベース基板１とカバー４とフレーム部３１とで構成される器体の薄型化が可能となる。
【００６１】
また、本実施形態のマイクロリレーでは、永久磁石２１がコイル巻回部２０ａの長手方向の中央部におけるアーマチュア３０側に重ねて配置され重ね方向の両面が異極に着磁されているので、アーマチュア３０の長手方向の中心部を中心としてアーマチュア３０が揺動可能となり、耐衝撃性が向上する。また、アーマチュア３０の可動基台部３０ａから延設した各突片３６におけるベース基板１との対向面から支点突起３６ｂを突設してあるので、このような一対の支点突起３６ｂを設けることでアーマチュア３０の揺動動作をより安定させることができる。
【００６２】
ところで、本実施形態のマイクロリレーでは、図１（ｂ）に示すように、可動接点３９における固定接点１４との対向面を固定接点１４側へ突出する凸曲面に形成しているので、従来のように固定接点と可動接点との互いの対向面が平面状に形成されている場合に比べて、可動接点３９と固定接点１４との接触信頼性をより向上させることができ、しかも、アーマチュア３０に２本の接圧ばね３５を介して支持された可動接点基台部３４に可動接点３９が設けられているので、所望の接点圧を得ることができるとともに接触信頼性の更なる向上を図れる。なお、上記凸曲面については所望の曲率半径を設定した曲面としてもよいし、仮想的な球面の一部を構成する曲面（いわゆるＳＲ形状）としてもよい。
【００６３】
ところで、上述の例では、可動接点３９における固定接点１４との対向面を固定接点１４側へ突出する凸曲面に形成しているが、図７に示すように固定接点１４における可動接点３９との対向面を可動接点３９側へ突出する凸曲面に形成してもよいし、固定接点１４と可動接点３９との互いの対向面を他方側へ突出する凸曲面に形成してもよい。
【００６４】
（実施形態２）
本実施形態のマイクロリレーの基本構成は実施形態１と略同じであって、実施形態１にて説明した接圧ばね３５、可動接点基台部３４を設ける代わりに、図８（ａ）に示すように、アーマチュア３０における可動基台部３０ａの長手方向（図８（ａ）の左右方向）の両端部から連続一体に突出する２つ１組の弾性片３０ｃ，３０ｃを短手方向に離間して２組設けて可動接点３９の平面形状を変更している点が相違する。他の構成は実施形態１と同様なので図示および説明を省略する。なお、本実施形態においても、実施形態１と同様に、可動接点３９と固定接点１４との互いの対向面の一方に他方側へ突出する凸曲面を形成してあるので、実施形態１と同様に可動接点３９と固定接点１４との接触信頼性を向上できる。
【００６５】
本実施形態における可動接点３９の平面形状は図８（ｂ）に示すような形状に形成されている。すなわち、可動接点３９は、互いに電気的に接続されそれぞれ固定接点１４と弾接可能な一対の可動接点片３９ｂ，３９ｂを有する可動接点部３９ａを２つ備え、可動接点部３９ａ同士が可動基台部３０ａの短辺に沿って配置される連絡片３９ｃ（つまり、連絡片３９ｃは一対の固定接点１４の並設方向に沿って配置される）を介して電気的に接続されている。なお、可動接点３９における各可動接点片３９ｂは弾性片３０ｃにおける固定接点１４との対向面に固着されている。
【００６６】
しかして、本実施形態のマイクロリレーでは、可動接点３９の各可動接点部３９ａが、互いに電気的に接続されそれぞれ固定接点１４と弾接可能な一対の可動接点片３９ｂ，３９ｂを有するので、図９（ａ）に示すように接点開成時に固定接点１４における可動接点部３９ａとの対向面において、一対の可動接点片３９ｂ，３９ｂのうちの一方の可動接点片３９ｂが接離する部位に絶縁性を有する異物Ｂが付着しているとしても、図９（ｂ）に示すように接点閉成時に他方の可動接点片３９ｂが固定接点１４に接触可能となるから、可動接点部３９と固定接点１４との接触不良が起こる可能性を低減でき、接触信頼性をさらに向上させることができる。
【００６７】
（実施形態３）
本実施形態のマイクロリレーの基本構成は実施形態１と略同じであって、図１０（ａ）に示すように可動接点基台部３４の平面形状が相違し、図１０（ｂ）に示すように可動接点３９の平面形状が相違する。他の構成は実施形態１と同様なので図示および説明を省略する。なお、本実施形態においても、実施形態１と同様に、可動接点３９と固定接点１４との互いの対向面の一方に他方側へ突出する凸曲面を形成してあるので、実施形態１と同様に可動接点３９と固定接点１４との接触信頼性を向上できる。
【００６８】
本実施形態における可動接点基台部３４は長手方向の両端部それぞれにスリット３４ａを設けることで両端部を二股状に分割し、長手方向の中間部にアーマチュア３０とは反対側の端縁が開放された切欠部３４を設けることで中間部の幅を狭くしてある。また、可動接点３９の平面形状は可動接点基台部３４の平面形状と略同じである。この可動接点３９は、図１０（ｂ）に示すように、互いに電気的に接続されそれぞれ固定接点１４と弾接可能な一対の可動接点片３９ｂ，３９ｂを有する可動接点部３９ａを２つ備え、可動接点部３９ａ同士が可動接点基台部３４の長手方向（一対の固定接点１４の並設方向）に沿って配置される連絡片３９ｃを介して電気的に接続されている。
【００６９】
しかして、本実施形態のマイクロリレーでは、可動接点３９の各可動接点部３９ａが、互いに電気的に接続されそれぞれ固定接点１４と弾接可能な一対の可動接点片３９ｂ，３９ｂを有するので、実施形態２と同様に、接点開成時に固定接点１４における可動接点部３９ａとの対向面において、一対の可動接点片３９ｂ，３９ｂのうちの一方の可動接点片３９ｂが接離する部位に絶縁性を有する異物が付着しているとしても、接点閉成時に他方の可動接点片３９ｂが固定接点１４に接触可能となるから、可動接点部３９と固定接点１４との接触不良が起こる可能性を低減でき、接触信頼性をさらに向上させることができる。しかも、可動接点３９が２本の接圧ばね３５を介してアーマチュア３０に支持された可動接点基台部３４に設けられていることにより、接圧ばね３５，３５のばね力を適宜設定することによって所望の接点圧を得ることができて接触信頼性をさらに向上させることができるとともに、アーマチュア３０と可動接点３９との間のばね負荷（つまり、可動接点３９に作用するばね負荷）を小さくできる。
【００７０】
（実施形態４）
本実施形態のマイクロリレーの基本構成は実施形態１と略同じであって、図１１（ａ）に示すように可動接点基台部３４の平面形状が相違し、図１１（ｂ）に示すように可動接点３９の平面形状が相違する。他の構成は実施形態１と同様なので図示および説明を省略する。なお、本実施形態においても、実施形態１と同様に、可動接点３９と固定接点１４との互いの対向面の一方に他方側へ突出する凸曲面を形成してあるので、実施形態１と同様に可動接点３９と固定接点１４との接触信頼性を向上できる。
【００７１】
本実施形態における可動接点基台部３４は長手方向の両端部それぞれにアーマチュア３０とは反対側の端縁が開放されたスリット３４ａを設けてある。また、可動接点３９の平面形状は可動接点基台部３４の平面形状と略同じである。この可動接点３９は、図１１（ｂ）に示すように、互いに電気的に接続されそれぞれ固定接点１４と弾接可能な一対の可動接点片３９ｂ，３９ｂを有する可動接点部３９ａを２つ備え、両可動接点部３９ａの各一方の可動接点片３９ｂ同士が連続一体に形成されて電気的に接続されている。
【００７２】
しかして、本実施形態のマイクロリレーでは、可動接点３９の各可動接点部３９ａが、互いに電気的に接続されそれぞれ固定接点１４と弾接可能な一対の可動接点片３９ｂ，３９ｂを有するので、実施形態２と同様に、接点開成時に固定接点１４における可動接点部３９ａとの対向面において、一対の可動接点片３９ｂ，３９ｂのうちの一方の可動接点片３９ｂが接離する部位に絶縁性を有する異物が付着しているとしても、接点閉成時に他方の可動接点片３９ｂが固定接点１４に接触可能となるから、可動接点部３９と固定接点１４との接触不良が起こる可能性を低減でき、接触信頼性をさらに向上させることができる。しかも、可動接点３９が２本の接圧ばね３５を介してアーマチュア３０に支持された可動接点基台部３４に設けられていることにより、接圧ばね３５，３５のばね力を適宜設定することによって所望の接点圧を得ることができて接触信頼性をさらに向上させることができるとともに、アーマチュア３０と可動接点３９との間のばね負荷（つまり、可動接点３９に作用するばね負荷）を小さくできる。
【００７３】
（実施形態５）
本実施形態のマイクロリレーの基本構成は実施形態１と略同じであって、図１２に示すように一対の固定接点１４，１４がアーマチュア３０の長手方向（図１２の左右方向）に並設されている点、可動接点基台部３４の形状、可動接点基台部３４に一対の固定接点１４，１４に接離可能な可動接点３９を２つ設けている点が相違する。他の構成は実施形態１と同様なので図示および説明を省略する。なお、本実施形態においても、実施形態１と同様に、可動接点３９と固定接点１４との互いの対向面の一方に他方側へ突出する凸曲面を形成してあるので、実施形態１と同様に可動接点３９と固定接点１４との接触信頼性を向上できる。
【００７４】
本実施形態における可動接点基台部３４は長手方向の両端部それぞれに平面形状が矩形状で一対の固定接点１４に跨って配置される可動接点３９を設け、長手方向の中間部を両端部に比べて細幅に形成してある。
【００７５】
しかして、本実施形態のマイクロリレーでは、上記実施形態２〜５のように可動接点３９が一対の可動接点片３９ｂ，３９ｂを有する可動接点部３９ａを２つ備えている場合のように、可動接点３９の平面形状において幅が狭くなる部分（電路の断面積が小さくなる部分）が形成されているものに比べて、一対の固定接点１４，１４間を短絡する可動接点３９の抵抗値を小さくすることができる。
【００７６】
（実施形態６）
本実施形態のマイクロリレーの基本構成は実施形態１と略同じであって、アーマチュア３０の長手方向の両側において、図１３に示すように一対の固定接点１４，１４に跨って配置される可動接点基台部３４を２つ備え、可動接点基台部３４がそれぞれ異なる２本ずつの接圧ばね３５を介してアーマチュア３０に支持されている点が相違する。なお、本実施形態においても、実施形態１と同様に、可動接点３９と固定接点１４との互いの対向面の一方に他方側へ突出する凸曲面を形成してあるので、実施形態１と同様に可動接点３９と固定接点１４との接触信頼性を向上できる。
【００７７】
しかして、本実施形態のマイクロリレーでは、アーマチュア３０の長手方向の両側でそれぞれ一対の固定接点１４に接離する可動接点３９を２つずつ備えており、各可動接点３９はそれぞれ異なる接圧ばね３５を介してアーマチュア３０に支持された可動接点基台部３４に設けられているので、一対の固定接点１４，１４間を短絡する場合には、各２つずつの可動接点３９のうちの少なくとも一方が一対の固定接点１４に接触すればよいから、接触信頼性をさらに向上させることができる。
【００７８】
（実施形態７）
本実施形態のマイクロリレーの基本構成は実施形態１と略同じであって、実施形態１では可動接点基台部３４が２本の接圧ばね３５を介してアーマチュア３０の可動基台部３０ａに支持されていたのに対して、図１４に示すように可動接点基台部３４が１本の接圧ばね３５を介してアーマチュア３０の可動基台部３０ａに支持されている点、接圧ばね３５の形状などが相違する。なお、本実施形態においても、実施形態１と同様に、可動接点３９と固定接点１４との互いの対向面の一方に他方側へ突出する凸曲面を形成してあるので、実施形態１と同様に可動接点３９と固定接点１４との接触信頼性を向上できる。
【００７９】
本実施形態における可動接点３９は、実施形態１と同様に一対の固定接点１４に跨って配置される可動接点基台部３４に設けられ、一対の固定接点１４，１４間を短絡するように一対の固定接点１４，１４に接触する位置と一対の固定接点１４，１４間を開放するように一対の固定接点１４，１４から離れた位置との間で変位可能である。ただし、本実施形態における可動接点基台部３４は、一対の固定接点１４，１４の並設方向における中央部がアーマチュア３０の可動基台部３０ａに１本の接圧ばね３５を介して支持されている。ここにおいて、接圧ばね３５は、平面形状が蛇行状に形成されており、一端部が可動基台部３０ａにおいて可動接点基台部３４との対向面に形成された切欠部３０ｄの内周面に連続一体に連結されるとともに他端部が可動接点基台部３４における可動基台部３０ａとの対向面に連続一体に連結されている。
【００８０】
しかして、本実施形態のマイクロリレーでは、アーマチュア３０と可動接点基台部３４とを結ぶ方向（一対の固定接点１４の並設方向に直交する方向）に直交する面内で可動接点基台部３４が回動自在となるので、可動接点３９が一対の固定接点１４，１４の一方のみに当たる片当たりを防止することができ、接触信頼性を向上させることができる。
【００８１】
また、本実施形態のマイクロリレーでは、接圧ばね３５の一端部が可動基台部３０ａに形成された切欠部３０ｄの内周面に連続一体に連結されるとともに他端部が可動接点基台部３４に連続一体に連結されていることにより、可動基台部３０ａと可動接点基台部３４との間の距離を比較的小さくしながらも所望の接点圧を得ることが可能となるので、リレー全体の小型化を図れる。なお、本実施形態のマイクロリレーでは、可動接点３９が固定接点１４に接触した状態では図１５（ａ）に示すようにアーマチュア３０の可動基台部３０ａと接圧ばね３５とが互いに異なる平面上に位置し、可動接点３９が固定接点１４から開離した状態では図１５（ｂ）に示すようにアーマチュア３０の可動基台部３０ａと接圧ばね３５とが同一平面上に位置する。
【００８２】
（実施形態８）
本実施形態のマイクロリレーの基本構成は実施形態７と略同じであって、図１６に示すように磁性体部３０ｂの外周に当接する部分を他の部位に比べて幅広の幅広部３５ｂとしてある点が相違する。ここに、幅広部３５ｂは磁性体部３０ｂの短辺に沿って形成されている。
【００８３】
しかして、本実施形態のマイクロリレーでは、接圧ばね３５において磁性体部３０ｂの外周に当接する部分を他の部位に比べて幅広の幅広部３５ｂとしてあるので、接圧ばね３５と磁性体部３０ｂとが当たる際に接圧ばね３５が破損するのを防止することができる。
【００８４】
ところで、本実施形態のマイクロリレーでは、可動接点基台部３４および可動接点３９の平面形状が一対の固定接点１４の並設方向を長手方向とする矩形状に形成されているが、図１７（ａ）〜（ｄ）のいずれかに示すような形状を採用してもよい。ここに、図１７（ａ）では可動接点基台部３４および可動接点３９それぞれの平面形状が図１０を参照して説明した実施形態３と同じであり、図１７（ｂ）では可動接点基台部３４および可動接点３９それぞれの平面形状が図１１を参照して説明した実施形態４と同じであり、図１７（ｃ）では一対の固定接点１４の位置関係、可動接点部３４および可動接点３９それぞれの平面形状が図１２を参照して説明した実施形態５と同じであり、図１７（ｄ）では可動接点基台部３４および可動接点３９それぞれの平面形状が図１３を参照して説明した実施形態６と略同じである。
【００８５】
また、上記各実施形態では、固定接点１４をスルーホール１０から離れた位置に設けてスルーホール１０を蓋体１９で閉塞しているが、図１８に示すように、ベース基板１の上記一表面側でスルーホール１０を閉塞する金属ボールからなる固定接点１４を設けるようにしてもよく、当該金属ボールにおいてベース基板１の上記一表面側へ露出した部分の表面が上記凸曲面を構成するようにしてもよい。このような構成を採用すれば、固定接点１４によりスルーホール１０の開口面を閉塞することができるから、スルーホール１０を通した配線を可能としながらもスルーホール１０を通して外部から粉塵などが侵入するのを防止できる。しかも、固定接点１４をスルーホール１０から離間して設ける場合に比べてベース基板１の平面サイズの小型化を図れてリレー全体の小型化を図ることが可能となる。
【００８６】
また、図１９（ａ）に示すようにベース基板１の厚み方向に貫設したスルーホール１０を上記一表面側で金属ボール１４ａにより閉塞してから、当該金属ボール１４ａにおいてベース基板１の上記一表面側へ露出した部分を図１９（ｂ）に示すようなフォーミング用の冶具６０を用いて所望の形状にフォーミングすることにより上記凸曲面を形成してもよい。ここに、冶具６０は金属ボール１４ａを所定の形状にフォーミングするための凹所６１が厚み方向の一面に形成されており、図１９（ｂ）に示すように冶具６０の厚み方向をベース基板１の厚み方向に一致させてから、冶具６０を図１９（ｂ）の矢印Ｃの向きでベース基板１へ近づけてフォーミングを行うことができる。このようなフォーミングを行うことにより、フォーミングを行わない場合に比べて接触信頼性を向上させることが可能となる。
【００８７】
なお、上述の各例では、可動接点３９と固定接点１４との互いの対向面の少なくとも一方に他方側へ突出する凸曲面を形成した構成、可動接点３９が固定接点１４と弾接可能な一対の可動接点片３９ｂを有する構成、可動接点３９が設けられ一対の固定接点１４に跨って配置される可動接点基台部３４が１本の接圧ばね３５を介してアーマチュア３０に支持された構成などについて説明したが、これらの構成を適宜組み合わることにより接触信頼性をより一層向上させることが可能である。
【図面の簡単な説明】
【００８８】
【図１】実施形態１を示し、（ａ）は分解斜視図、（ｂ）は可動接点が固定接点に接触した状態の要部断面図である。
【図２】同上を示す斜視図である。
【図３】同上の要部分解斜視図である。
【図４】同上におけるアーマチュアブロックを示し、（ａ）は平面図、（ｂ）は下面図である。
【図５】同上におけるアーマチュアブロックの分解斜視図である。
【図６】同上に用いるカバーの斜視図である。
【図７】同上の他の構成例において可動接点が固定接点に接触した状態の要部断面図である。
【図８】実施形態２を示し、（ａ）は要部平面図、（ｂ）は可動接点の平面図である。
【図９】同上の動作説明図である。
【図１０】実施形態３を示し、（ａ）は要部平面図、（ｂ）は可動接点の平面図である。
【図１１】実施形態４を示し、（ａ）は要部平面図、（ｂ）は可動接点の平面図である。
【図１２】実施形態５の要部平面図である。
【図１３】実施形態６の要部平面図である。
【図１４】実施形態７の要部平面図である。
【図１５】同上の動作説明図である。
【図１６】実施形態８の要部平面図である。
【図１７】同上の他の構成例図である。
【図１８】同上の他の構成例の要部概略断面図である。
【図１９】同上の他の構成例の製造方法の説明図である。
【符号の説明】
【００８９】
１  ベース基板
２  電磁石装置
３  アーマチュアブロック
４  カバー
１４  固定接点
３０  アーマチュア
３１  フレーム部
３２  支持ばね部
３４  可動接点基台部
３５  接圧ばね部
３９  可動接点
【図１】
2005216546.tif 000003
【図２】
2005216546.tif 000004
【図３】
2005216546.tif 000005
【図４】
2005216546.tif 000006
【図５】
2005216546.tif 000007
【図６】
2005216546.tif 000008
【図７】
2005216546.tif 000009
【図８】
2005216546.tif 000010
【図９】
2005216546.tif 000011
【図１０】
2005216546.tif 000012
【図１１】
2005216546.tif 000013
【図１２】
2005216546.tif 000014
【図１３】
2005216546.tif 000015
【図１４】
2005216546.tif 000016
【図１５】
2005216546.tif 000017
【図１６】
2005216546.tif 000018
【図１７】
2005216546.tif 000019
【図１８】
2005216546.tif 000020
【図１９】
2005216546.tif 000021